(57)【要約】【課題】使用者の集中度を高め、知的生産性を向上する照明システムを提供する。【解決手段】照明システム１は、アンビエント照明装置１０と、タスク照明装置２０と、作業エリアと周辺部とを含む空間の照明状態及び作業エリアの照明状態の少なくともいずれかを検出する照明状態検出センサ４０と、アンビエント照明装置１０とタスク照明装置２０とを制御する制御部３０とを有し、アンビエント照明装置１０、タスク照明装置２０、照明状態検出センサ４０及び制御部３０は、それぞれ通信手段３２を有し、制御部３０は、通信手段３２を介して受信した、照明状態検出センサ４０で検出した照明状態の情報に基づいて、アンビエント照明装置１０およびタスク照明装置２０の照明制御を行う。【選択図】図４
2015022939.tif 000002
【特許請求の範囲】
【請求項１】
作業対象物を中心とする作業エリアと前記作業エリアの周辺部とが存在する照明環境をもち、
前記作業エリアと前記周辺部とを含む空間を照明するアンビエント照明装置と、
前記アンビエント照明装置よりも下方に設置され、前記作業エリアを照明するタスク照明装置と、
前記作業エリアと前記周辺部とを含む空間の照明状態及び前記作業エリアの照明状態の少なくともいずれかを検出するセンサと、
前記アンビエント照明装置と前記タスク照明装置とを制御する制御部とを有し、
前記アンビエント照明装置、前記タスク照明装置、前記センサ及び前記制御部は、それぞれ通信手段を有し、
前記制御部は、前記通信手段を介して受信した、前記センサで検出した照明状態の情報に基づいて、前記アンビエント照明装置および前記タスク照明装置の照明制御を行う
照明システム。
【請求項２】
前記制御部は、
前記タスク照明装置及び前記アンビエント照明装置の少なくともいずれかの色温度を調整する
請求項1に記載の照明システム。
【請求項３】
前記制御部は、
前記周辺部の色温度と前記作業エリアの色温度が２０００Ｋ以上異なる際、前記作業エリアの色温度と前記周辺部の色温度との差が２０００Ｋ未満となるように、前記アンビエント照明装置及び前記タスク照明装置の少なくともいずれかを制御して、前記周辺部の色温度および前記作業エリアの色温度の少なくともいずれかを変更する
請求項２に記載の照明システム。
【請求項４】
前記センサは、前記照明状態として色温度を検出する
請求項１〜３のいずれか１項に記載の照明システム。
【請求項５】
前記センサは、前記タスク照明装置の上方又は前記周辺部に設置され、
前記制御部は、前記センサで検出された照明状態に基づいて、前記タスク照明装置の照明制御を行う
請求項１〜４のいずれか１項に記載の照明システム。
【請求項６】
前記センサは、前記タスク照明装置の下方又は前記作業エリアに設置され、
前記制御部は、前記センサで検出された照明状態に基づいて、前記アンビエント照明装置の照明制御を行う
請求項１〜４のいずれか１項に記載の照明システム。
【請求項７】
ユーザーの前記タスク照明装置の使用状況に応じて、前記アンビエント照明装置の制御を行う
請求項１〜４、６のいずれか１項に記載の照明システム。
【請求項８】
ユーザーの前記アンビエント照明装置の使用状況に応じて、前記タスク照明装置の制御を行う
請求項１〜５のいずれか１項に記載の照明システム。
【請求項９】
前記制御部は、ユーザーのＰＣ使用状況に応じて、前記アンビエント照明装置および前記タスク照明装置の少なくともいずれかの照明制御を行う
請求項１〜８のいずれか１項に記載の照明システム。
【請求項１０】
前記制御部は、ユーザーが使用している携帯端末を用いて送信された信号に応じて、前記アンビエント照明装置および前記タスク照明装置の少なくともいずれかの照明制御を行う
請求項１〜９のいずれか１項に記載の照明システム。
【発明の詳細な説明】
【技術分野】
【０００１】
本発明は、照明システムに関し、特に、住宅やオフィスなどにおいて居住者の知的生産性を向上する光環境を実現することができる照明システムに関するものである。
【背景技術】
【０００２】
オフィスなどにおける省エネを目的とした照明手法として、タスク照明装置とアンビエント照明装置とを併用したタスク＆アンビエント照明方式が注目されている。この照明方式では、執務者の机上面をタスク照明装置で近接した位置から効率よく照明し、執務フロア全体を照明するアンビエント照明装置（主に天井照明装置）を減らすことで省エネが達成される。
【０００３】
また、作業対象物を中心とする作業エリアと周辺とを異なる光色、すなわち、異なる色温度となるように照明し、また、照明環境に明確な照度勾配（エッジ感）を設けることによって、作業エリアに所望の照度を与えると共に集中度を高める光環境を提供する照明手法が開示されている（例えば、特許文献１参照）。
【先行技術文献】
【特許文献】
【０００４】
【特許文献１】特開２００３−０３１３７９号公報
【発明の概要】
【発明が解決しようとする課題】
【０００５】
しかし、作業エリアと周辺部との光色を異にする照明手法では、これら上記のような照明環境では作業エリアの照射面のエッジ感による集中度向上、または体内リズムの正常化は実現するが、作業エリアと周辺部との光色が大きく異なる場合、使用者に違和感による不快感を与えていた。また、作業エリアの光色として集中度を高めるための好ましい光色が用いられていないため、使用者に違和感による不快感を与え、作業効率を低下させ知的生産性の向上が阻害されていた。
【０００６】
上記課題に鑑み、本発明は、使用者の集中度を高め、知的生産性を向上する照明システムを提供することを目的とする。
【課題を解決するための手段】
【０００７】
上記課題を解決するために、本発明に係る照明システムは、作業対象物を中心とする作業エリアと前記作業エリアの周辺部とが存在する照明環境をもち、前記作業エリアと前記周辺部とを含む空間を照明するアンビエント照明装置と、前記アンビエント照明装置よりも下方に設置され、前記作業エリアを照明するタスク照明装置と、前記作業エリアと前記周辺部とを含む空間の照明状態及び前記作業エリアの照明状態の少なくともいずれかを検出するセンサと、前記アンビエント照明装置と前記タスク照明装置とを制御する制御部とを有し、前記アンビエント照明装置、前記タスク照明装置、前記センサ及び前記制御部は、それぞれ通信手段を有し、前記制御部は、前記通信手段を介して受信した、前記センサで検出した照明状態の情報に基づいて、前記アンビエント照明装置および前記タスク照明装置の照明制御を行う。
【０００８】
また、前記制御部は、前記タスク照明装置及び前記アンビエント照明装置の少なくともいずれかの色温度を調整するとしてもよい。
【０００９】
また、前記制御部は、前記周辺部の色温度と前記作業エリアの色温度が２０００Ｋ以上異なる際、前記作業エリアの色温度と前記周辺部の色温度との差が２０００Ｋ未満となるように、前記アンビエント照明装置及び前記タスク照明装置の少なくともいずれかを制御して、前記周辺部の色温度および前記作業エリアの色温度の少なくともいずれかを変更するとしてもよい。
【００１０】
また、前記センサは、前記照明状態として色温度を検出するとしてもよい。
【００１１】
また、前記センサは、前記タスク照明装置の上方又は前記周辺部に設置され、前記制御部は、前記センサで検出された照明状態に基づいて、前記タスク照明装置の照明制御を行うとしてもよい。
【００１２】
また、前記センサは、前記タスク照明装置の下方又は前記作業エリアに設置され、前記制御部は、前記センサで検出された照明状態に基づいて、前記アンビエント照明装置の照明制御を行うとしてもよい。
【００１３】
また、ユーザーの前記タスク照明装置の使用状況に応じて、前記アンビエント照明装置の制御を行うとしてもよい。
【００１４】
また、ユーザーの前記アンビエント照明装置の使用状況に応じて、前記タスク照明装置の制御を行うとしてもよい。
【００１５】
また、前記制御部は、ユーザーのＰＣ使用状況に応じて、前記アンビエント照明装置および前記タスク照明装置の少なくともいずれかの照明制御を行うとしてもよい。
【００１６】
また、前記制御部は、ユーザーが使用している携帯端末を用いて送信された信号に応じて、前記アンビエント照明装置および前記タスク照明装置の少なくともいずれかの照明制御を行うとしてもよい。
【発明の効果】
【００１７】
本開示によれば、使用者の集中度を高め、知的生産性を向上する照明システムを提供することができる。
【図面の簡単な説明】
【００１８】
【図１Ａ】ベース照度に対する集中しやすさを示す図である。
【図１Ｂ】ベース照度に対する光環境の快適さを示す図である。
【図１Ｃ】ベース照度に対する光環境の自然さを示す図である。
【図２】実施の形態１に係る照明システムの構成を示すブロック図である。
【図３】実施の形態１に係る照明システムの構成を示す概略図である。
【図４】実施の形態２に係る照明システムの構成を示す概略図である。
【図５】実施の形態２に係る照明システムの構成を示す概略図である。
【図６】実施の形態２に係る照明システムの構成を示す概略図である。
【図７】実施の形態２に係る照明システムの構成を示す概略図である。
【図８】実施の形態３に係る照明システムの構成を示す概略図である。
【図９】実施の形態３に係る照明システムの構成を示す概略図である。
【図１０】実施の形態３に係る照明システムの構成を示す概略図である。
【図１１】実施の形態３に係る照明システムの構成を示す概略図である。
【発明を実施するための形態】
【００１９】
以下、本発明の実施の形態について、図面を参照しながら説明する。なお、以下に説明する実施の形態は、いずれも本発明の好ましい一具体例を示すものである。したがって、以下の実施の形態で示される数値、形状、材料、構成要素、構成要素の配置位置及び接続形態、工程、工程の順序などは、一例であって本発明を限定する主旨ではない。したがって、以下の実施の形態における構成要素のうち、本発明の最上位概念を示す独立請求項に記載されていない構成要素については、任意の構成要素として説明される。
【００２０】
なお、各図は、模式図であり、必ずしも厳密に図示されたものではない。また、各図において、実質的に同一の構成に対しては同一の符号を付しており、重複する説明は省略又は簡略化する。
【００２１】
（実施の形態１）
本実施の形態に係る照明システムは、周辺環境の色温度と個人の作業エリアの色温度が同色温度となるように制御するシステムである。周辺環境の色温度をセンシングするために、例えば、外光が入射する窓際やタスク照明装置の上部にセンサ（色温度センサ）を設置している。また、作業エリアの色温度をセンシングするために、作業エリアやデスクスタンドにも色温度センサを設置している。アンビエント照明装置とタスク照明装置及び色温度センサはＰＬＣ（Ｐｏｗｅｒ  Ｌｉｎｅ  Ｃｏｍｍｕｎｉｃａｔｉｏｎｓ）通信やその他の無線通信で制御部と双方向通信を行っている。
【００２２】
はじめに、本実施の形態に係る照明システムを実現するため、光色、照度比、光色比、配光の集中力や空間評価への影響を把握するために行った主観評価実験の結果について説明する。
【００２３】
実験を行った実験の概要は以下のとおりである。
【００２４】
被験者は、３０名であった。
【００２５】
被験者は、１分間タスク（伝票分類）をした後、その印象を主観的に評価した。評価項目としては、（１）読みやすさ、（２）作業面、（３）空間全体、を評価対象とした。
【００２６】
読みやすさは、机上の紙面文字、または、ＰＣ画面文字の読みやすさを評価した。
【００２７】
作業面では、集中度、仕事のはかどり、目の疲労感、明るさ、快適、光環境に対する好き嫌いを評価対象とした。
【００２８】
空間全体については、雰囲気の自然さ、話しやすさ、快適、集中、明るさ、快適、好き嫌いを評価対象とした。
【００２９】
実験パラメータとしては、タスク照明の光色、ベース照明の光色、ベース照明の照度、タスク照明の配光についてそれぞれ異なる条件を用意し、それらの組み合わせにより、全２３の条件の下で評価実験を行った。
【００３０】
タスク照明の光色の条件としては、読光色である５０００Ｋ及び６０００Ｋの２種類の条件とした。
【００３１】
ベース照明の光色としては、３０００Ｋ、５０００Ｋ、６７００Ｋの３種類の条件とした。なお、一部については４２００Ｋとした。
【００３２】
ベース照明の照度については、１００ｌｘ、３００ｌｘ、７５０ｌｘの３種類の条件とした。このとき、作業面は７５０ｌｘに一定となるようにした。すなわち、ベース照度が１００ｌｘとは、アンビエント照明による照度が１００ｌｘでタスク照明による照度が６５０ｌｘの場合である。ベース照度が３００ｌｘとは、アンビエント照明による照度が３００ｌｘでタスク照明による照度が４５０ｌｘの場合である。ベース照度が７５０ｌｘとは、アンビエント照明による照度が７５０ｌｘでありタスク照明による照度が０ｌｘの場合である。ベース照度が無（０ｌｘ）とは、アンビエント照明による照度が無（０ｌｘ）でタスク照明による照度が７５０ｌｘの場合である。
【００３３】
タスク照明の配光は、狭角すなわちＡ３の用紙程度の範囲を照射する配光とした。また、タスク照明の広角は、机一面を照射する角度とした。
【００３４】
以上の条件により行った実験結果は、光環境、特に、タスク照明とアンビエント照明との色温度の相違による（１）集中しやすさ、（２）快適さ、（３）自然さによりまとめた。図１Ａ〜図１Ｃにその結果を示す。
【００３５】
図１Ａは、ベース照度に対する集中しやすさを示す図である。
【００３６】
図１Ａは、タスク照明が狭配光で、机上面中心の照度を７５０ｌｘの一定としている。色温度については、ベース照明（すなわち、アンビエント照明）の色温度を３０００、４２００、５０００、６７００Ｋ、ベース照明無しの５種類、タスク色温度については、５０００、６０００、タスク照明無しの３種類についてそれぞれ評価項目『集中しやすい』について評価している。評価結果は７段階評価とし、縦軸に被験者３０名の平均値を示している。横軸には、（ｉ）タスク照明の色温度５０００Ｋでの、アンビエント照明３００ｌｘ及びタスク照明４５０ｌｘでの結果、アンビエント照明０ｌｘ及びタスク照明７５０ｌｘでの結果、（ｉｉ）タスク照明の色温度６０００Ｋでの、アンビエント照明３００ｌｘ及びタスク照明４５０ｌｘでの結果、アンビエント照明０ｌｘ及びタスク照明７５０ｌｘでの結果、（ｉｉｉ）アンビエント照明７５０ｌｘ及びタスク照明０ｌｘでの結果、として評価結果を示している。
【００３７】
上記結果から、タスク照明がある場合のほうがタスク照明がない場合に比較して、被験者の『集中しやすい』という評価結果が高いことが分かる。また、タスク照明の色温度としては、６０００Ｋのほうが５０００Ｋよりも評価結果が高いことが分かる。さらに、タスク照明の光色とアンビエント照明の光色とが近いほうが好ましく、タスク照明の色温度６０００Ｋと５０００Ｋのいずれについても、アンビエント照明の色温度が３０００Ｋの場合には他の光色よりも『集中しやすい』という評価結果が低くなっている。特に、タスク照明の色温度とアンビエント照明の色温度とに２０００Ｋより大きな色温度差がある場合は、評価が低くなっていることが分かる。
【００３８】
すなわち、被験者が『集中しやすい』光環境とは、タスク照明とアンビエント照明を併用し、タスク照明の色温度とアンビエント照明の色温度との色温度差が２０００Ｋ未満であることが好ましいことが分かる。
【００３９】
図１Ｂは、ベース照度に対する光環境の快適さを示す図である。図１Ｃは、ベース照度に対する光環境の自然さを示す図である。
【００４０】
図１Ｂは、上記した集中しやすさの評価実験の実験条件において評価項目『快適な』の７段階評価結果、図１Ｃは、同上の実験において評価項目『自然な』の７段階評価結果を示す。また、図１Ｂ及び図１Ｃのいずれにおいても、タスク照明は狭配光であり、かつ、机上面の照度が７５０ｌｘに一定となるようにアンビエント照明とタスク照明との照度が設定されている。
【００４１】
図１Ｂ及び図１Ｃに示すように、アンビエント照明のみの場合（すなわち、タスク色温度「無」の場合）に、光環境の快適さ及び自然さのいずれについても高い評価が得られている。つまり、光環境が快適である又は自然であるという評価が得られている。
【００４２】
また、タスク照明のみの場合（すなわち、タスク色温度５０００Ｋ及び６０００Ｋのそれぞれにおけるベース照度０ｌｘの場合）に、光環境の快適さ及び自然さのいずれについても低い評価が得られている。つまり、光環境が快適でない又は自然でないという評価が得られている。
【００４３】
さらに、アンビエント照明とタスク照明とが併用される場合（すなわち、タスク色温度５０００Ｋ及び６０００Ｋのそれぞれにおけるベース照度１００ｌｘ又は３００ｌｘの場合）には、色温度により評価に差が現れている。この場合、タスク照明装置による照明とアンビエント照明装置による照明の光色が近い方が高い評価が得られている。つまり、ベース照度が３００ｌｘ（このとき、タスク色温度は４５０ｌｘ）の場合に、光環境の快適さ及び自然さのいずれについても高い評価が得られている。
【００４４】
以上より、タスク照明が狭配光で机上面照度を７５０ｌｘ一定とした場合、違和感を与えること無く快適で、集中度を向上させる光環境としては、タスク照明とアンビエント照明を併用することが好ましいことが分かる。また、タスク照明とアンビエント照明との色温度差が近い方がよく、例えば、色温度差を２０００Ｋ未満とすることが好ましいことが分かる。
【００４５】
次に、本実施の形態に係る照明システムについて、図２及び図３を用いて説明する。図２は、本実施の形態に係る照明システム１の構成を示すブロック図である。図３は、本実施の形態に係る照明システム１の構成を示す概略図である。
【００４６】
図２に示すように、照明システム１は、アンビエント照明装置１０と、タスク照明装置２０と、制御部３０と、照明状態検出センサ４０とを備えている。また、アンビエント照明装置１０、タスク照明装置２０、照明状態検出センサ４０及び制御部３０は、それぞれ通信手段３２を有している。制御部３０は、通信手段３２を介して受信した、照明状態検出センサ４０で検出した照明状態の情報に基づいて、アンビエント照明装置１０およびタスク照明装置２０の照明制御を行う。この構成によれば、照明システム１において、アンビエント照明装置１０とタスク照明装置２０との色温度を調整して、アンビエント照明装置１０とタスク照明装置２０との光色が大きく異なることによる強いエッジ感を低減し、使用者の違和感による不快感を低減することができる。したがって、使用者の集中度を高め知的生産性を向上することができる。
【００４７】
アンビエント照明装置１０は、主に執務フロア全体を照らす照明装置であり、例えば、天井照明装置などである。タスク照明装置２０は、作業対象物を中心とする作業エリアに所望の照明を与える照明装置であり、例えば、デスク用照明装置などである。アンビエント照明装置１０及びタスク照明装置２０は、任意の数設けてもよい。
【００４８】
アンビエント照明装置１０およびタスク照明装置２０の光源には、例えば、ＬＥＤが使用される。ＬＥＤの特徴の一つとして、光源の色温度（光色）を調整しやすいことが挙げられる。アンビエント照明装置１０及びタスク照明装置２０へＬＥＤの採用した場合、光の出力のみならず色温度についても、アンビエント照明装置１０およびタスク照明装置２０で連動して制御する。
【００４９】
制御部３０は、アンビエント照明装置１０及びタスク照明装置２０の光色、すなわち色温度を調整する。この構成によれば、照明環境をよりダイナミックに制御し、照明空間の色温度による変化により様々な機能を提供することが可能となる。
【００５０】
具体的には、制御部３０は、照明状態検出センサ４０により検出された照明状態に基づいて、アンビエント照明装置１０及びタスク照明装置２０の色温度を制御する。このとき、制御部３０は、ＰＬＣ（Ｐｏｗｅｒ  Ｌｉｎｅ  Ｃｏｍｍｕｎｉｃａｔｉｏｎｓ）通信又は無線通信などの通信システムを用いてアンビエント照明装置１０及びタスク照明装置２０を制御する。なお、制御部３０は、アンビエント照明装置１０及びタスク照明装置２０に対し、色温度に加えて、照度、配光の制御を行ってもよい。
【００５１】
照明状態検出センサ４０は、例えば、色温度を検出するための色彩照度計であり、アンビエント照明装置１０及びタスク照明装置２０による照明環境、すなわわち、色温度を検出する。この構成によれば、照明状態検出センサ４０を色温度センサとすることで、より簡易なシステムとすることが可能となる。
【００５２】
また、照明状態検出センサ４０は、ＰＬＣ通信やその他無線通信手段などの通信手段により、検知した照明状態を制御部３０に送信する。なお、照明状態検出センサ４０は、色温度に加えて、照度、配光の検出を行ってもよい。
【００５３】
照明状態検出センサ４０は、作業エリアの照明状態を検出する照明状態検出センサ４０ａと、作業エリアと周辺部とを含む空間の照明状態を検出する照明状態検出センサ４０ｂとを備えている。照明状態検出センサ４０ｂは、アンビエント照明装置１０付近に設置することで、主にアンビエント照明装置１０の照明状態を検出する。また、照明状態検出センサ４０ａは、タスク照明装置２０付近に設置することで、主にタスク照明装置２０の照明状態を検出する。タスク照明装置２０用の照明状態検出センサ４０ａと、アンビエント照明装置１０用の照明状態検出センサ４０ｂとを備えることで、照明システム１は、正確にアンビエント照明装置１０及びタスク照明装置２０の相互の色温度を認識することができる。
【００５４】
なお、照明状態検出センサ４０ａ及び４０ｂで検出する照明状態には、それぞれアンビエント照明装置１０及びタスク照明装置２０による照明の影響が含まれてもよい。また、照明状態検出センサ４０ａ及び４０ｂで検出する照明状態には、窓から室内に照射される外光の影響が含まれていてもよい。
【００５５】
図３では、アンビエント照明装置１０及びタスク照明装置２０を制御できる照明システム１を示している。
【００５６】
アンビエント照明装置１０、タスク照明装置２０、照明状態検出センサ４０は、上記したように制御部３０とＰＬＣ通信もしくは無線通信などの通信システムを用いて双方向通信できる状態にある。例えば、新たに導入されたタスクスタンドが、アンビエント照明と異なる照明状態であっても、導入されたタスクスタンドの照明状態をセンサが検出し、その照明状態に合わせてアンビエント照明装置を制御可能である。アンビエント照明装置の場合も同様である。
【００５７】
例えば、作業机５０の上に設置されたタスク照明装置２０が、天井に設置されたアンビエント照明装置１０と異なる色温度であっても、照明状態検出センサ４０（照明状態検出センサ４０ａ）がタスク照明装置２０の色温度を検出すると、制御部３０は、照明状態検出センサ４０ａで検出された色温度に合わせてアンビエント照明装置１０の色温度を制御する。
【００５８】
具体的には、制御部３０は、作業エリアの光色に合わせて、周辺部の色温度と作業エリアの色温度との差が小さくなるように、アンビエント照明装置１０から出力される色温度を制御する。すなわち、周辺部の色温度に外光等の影響が含まれている場合、照明状態検出センサ４０ａで検出される色温度には外光等の影響を含めた色温度が検出されるが、この場合であっても、制御部３０は、外光の影響と関係なくアンビエント照明装置１０を調整する。なお、制御部３０は、アンビエント照明装置１０と併せてタスク照明装置２０の制御も行ってもよい。
【００５９】
制御部３０は、例えば、アンビエント照明装置１０の色温度とタスク照明装置２０の色温度との色温度差が２０００Ｋ未満の同程度の色温度となるように、アンビエント照明装置１０の色温度を調整する。アンビエント照明装置１０の色温度の調整は、アンビエント照明装置１０が自動で調整してもよいし、アンビエント照明装置１０に設けられた色温度調整ダイアルまたは色温度選択調整ボタン（図示せず）をユーザーが操作することにより、手動で調整してもよい。これにより、周辺部と作業エリアとの色温度をほぼ同等の色温度とし、違和感のない空間とすることが可能となる。
【００６０】
また、タスク照明装置２０が、アンビエント照明装置１０と異なる色温度であっても、照明状態検出センサ４０（照明状態検出センサ４０ｂ）がアンビエント照明装置１０の色温度を検出すると、制御部３０は、照明状態検出センサ４０ａで検出された色温度に合わせてアンビエント照明装置１０の色温度を制御する。具体的には、制御部３０は、周辺部の光色に合わせて、周辺部の色温度と作業エリアの色温度との差が小さくなるように、タスク照明装置２０から出力される色温度を制御する。すなわち、周辺部の色温度に外光等の影響が含まれている場合、照明状態検出センサ４０ｂで検出される色温度には外光等の影響を含めた色温度が検出されるが、この場合であっても、制御部３０は、外光の影響と関係なくタスク照明装置２０を調整する。なお、制御部３０は、タスク照明装置２０と併せてアンビエント照明装置１０の制御も行ってもよい。
【００６１】
制御部３０は、例えば、アンビエント照明装置１０の色温度とタスク照明装置２０の色温度との色温度差が２０００Ｋ未満の同程度の色温度となるように、タスク照明装置２０の色温度を調整する。アンビエント照明装置１０の色温度の調整は、アンビエント照明装置１０が自動で調整してもよいし、アンビエント照明装置１０に設けられた色温度調整ダイアルまたは色温度選択調整ボタン（図示せず）をユーザーが操作することにより、手動で調整してもよい。これにより、作業エリアと周辺部との色温度をほぼ同等の色温度とし、違和感のない空間とすることが可能となる。
【００６２】
また、ユーザーがタスク照明装置２０およびアンビエント照明装置１０の光色を変更した場合も、同様に、使用状況に応じてタスク照明装置２０およびアンビエント照明装置１０の色温度を制御してもよい。この構成によれば、ユーザーのタスク照明装置２０およびアンビエント照明装置１０の設定に応じて、アンビエント照明装置１０及びタスク照明装置２０を制御し、常に快適な照明環境を提供することが可能となる。
【００６３】
また、ユーザーがタスク照明装置２０およびアンビエント照明装置１０の光色を変更した場合に限らず、ユーザーの使用するＰＣからの外光や、窓から照射する外光が変化した場合にも、制御部３０は上記のような制御を行ってもよい。
【００６４】
なお、照明状態検出センサ４０は、アンビエント照明装置１０又はタスク照明装置２０付近に設置されることに限らず、例えば、タスク照明装置２０の下方の作業エリア、または、周辺部に配置された壁面に設置されてもよい。この構成によれば、照明状態検出センサ４０は、ユーザーの作業エリアの照明状態に応じたアンビエント照明装置１０の照明制御が可能となる。また、照明状態検出センサ４０は、壁面に設置されることで、アンビエント照明装置１０及びタスク照明装置２０の両方からの照明状態を検出することができる。したがって、周辺環境の照明状態に応じてタスク照明装置２０の照明制御が可能となる。
【００６５】
また、照明状態検出センサ４０は、１つに限らず複数設置してもよく、上記したようにアンビエント照明装置１０及びタスク照明装置２０それぞれに設置してもよいし、例えば複数のアンビエント照明装置１０またはタスク照明装置２０において共通に使用してもよい。
【００６６】
なお、照明環境を検出できる照明状態検出センサ４０がない場合であっても、例えば、アンビエント照明装置１０とタスク照明装置２０とを同じ制御プログラムで制御することで実現可能である。
【００６７】
以上、本実施の形態に係る照明システム１によると、アンビエント照明装置１０とタスク照明装置２０との色温度を調整して、アンビエント照明装置１０とタスク照明装置２０との光色が大きく異なることによる強いエッジ感を低減し、使用者の違和感による不快感を低減することができる。したがって、使用者の集中度を高め知的生産性を向上することができる。
【００６８】
（実施の形態２）
次に、実施の形態２について説明する。
【００６９】
本実施の形態に係る照明システムが実施の形態１に係る照明システム１と異なる点は、照明状態検出センサを各種照明装置とは別に設置する点である。
【００７０】
図４〜図７は、本実施の形態に係る照明システム２、３、４、５の構成を示す概略図である。
【００７１】
まず、作業エリアの照明状態を正確に検出するための照明状態検出センサの位置について説明する。図４では、作業エリアの照明状態を検出するために作業机５０の上に、照明状態検出センサ４０ｃを設置する場合の照明システム２を示している。照明状態検出センサ４０ｃを作業エリア面に設置することで、窓６０から外光が入射したり隣室からの漏れ光が入射したりした場合にも、作業エリア面において適切な色温度を検出することが可能となる。これにより、作業エリアと周辺部との色温度の調整を精度よく行うことができる。
【００７２】
続いて、周辺部の色温度を正確に検出するための照明状態検出センサの設置位置を説明する。
【００７３】
図５では、照明状態検出センサ４０ｄをタスク照明装置２０の上面に設置する場合の照明システム３を示している。照明状態検出センサ４０ｄをタスク照明装置２０の上面に設置することで、タスク照明装置２０による外光の影響をほとんど含まない、周辺部の色温度を検出することができる。
【００７４】
図６では、照明状態検出センサ４０ｅを壁面に設置する場合の照明システム４を示している。照明状態検出センサ４０ｅを壁面に設置することで、壁面に照射されるタスク照明装置２０による外光の影響をほとんど含まない、周辺部の色温度を検出することができる。
【００７５】
図７では、照明状態検出センサ４０ｆを作業エリア面の、タスク照明装置２０の照射範囲外に設置する場合の照明システム５を示している。照明状態検出センサ４０ｆを作業エリア面の、タスク照明装置２０の照射範囲外に設置することで、作業エリア面において、タスク照明装置２０による外光の影響をほとんど含まない、周辺部の色温度を検出することができる。
【００７６】
以上より、照明状態検出センサを上記した位置に設置することで、外光や隣室からの漏れ光が入射した場合にも正確に色温度を検出することが可能となる。したがって、本実施の形態に係る照明システム２、３、４、５によると、作業エリアと周辺部との色温度の調整を精度よく行うことができる。
【００７７】
なお、照明状態検出センサの配置位置は、上記した各配置位置に限られず、他の位置であってもよいし、上記した位置を複数組み合わせてもよい。照明状態検出センサの配置位置を複数組み合わせることにより、より正確な色温度を検出することができる。
【００７８】
（実施の形態３）
次に、実施の形態３について説明する。
【００７９】
本実施の形態に係る照明システムが実施の形態１に係る照明システム１と異なる点は、照明システムがユーザーの使用するＰＣ等の外部機器により操作され、当該外部機器と照明システムとが通信手段により送受信を行って照明制御を行う点である。
【００８０】
図８〜図１１は、本実施の形態に係る照明システムの構成を示す概略図である。
【００８１】
図８に示す照明システム６では、作業エリア面にユーザーの使用するＰＣ７０が配置され、制御部８０は、ＰＣ７０のディスプレイ情報を加味した照明制御を行う。
【００８２】
図８に示すように、照明システム６において、作業エリアの照明状態を検出する照明状態検出センサ４０ａは、タスク照明装置２０の下方に設けられている。また、ユーザーの使用するＰＣ７０は、作業机５０の上の作業エリア内に配置されている。したがって、照明状態検出センサ４０ａで検出される色温度には、ＰＣ７０のディスプレイから出力される外光の影響が含まれる。したがって、当該外光の影響を加味した制御を行うことで、作業エリアと周辺部との色温度の調整を精度よく行うことができる。
【００８３】
ここで、図８に示す照明システム６では、ＰＣ７０と制御部８０とは適切な手法をもって通信する。ＰＣ７０と制御部８０との通信手段について、以下に説明する。
【００８４】
図９は、Ｗｉ−Ｆｉ（登録商標）や可視光通信を用いる照明システム７を示している。例えば、図９において、各照明システム７では、制御部９０と各照明装置（アンビエント照明装置１０及びタスク照明装置２０）とは、それぞれ可視光により通信する。
【００８５】
また、各照明システム７における制御部９０は、それぞれＷｉ−Ｆｉによりデータセンター１００と接続してデータの送受信を行うことができる。ここで、制御部９０とデータセンターで送受信するデータは、例えば、照明状態検出センサ４０により検出された作業エリア及び周辺部の色温度と、最適な照明環境に変更するためのアンビエント照明装置１０及びタスク照明装置２０の色温度が送受信される。
【００８６】
この構成によれば、各制御値（色温度の値）をデータセンター１００に集約することが可能となる。
【００８７】
図１０は、Ｂｌｕｅｔｏｏｔｈ（登録商標）もしくは赤外線通信などを用いて、機器同士のみでの通信の接続を可能とする照明システム８を示している。
【００８８】
例えば、ユーザーがＰＣ７０からアンビエント照明装置１０の照明状態を変更する場合について説明する。図１０に示すように、ユーザーが変更した照明状態は、例えば、赤外線通信によりＰＣ７０から制御部１１０に送信される。制御部１１０は、アンビエント照明装置１０の色温度を変更するように、赤外線通信によりアンビエント照明装置１０の制御を行う。ここで、アンビエント照明装置１０の色温度の変更により、照明状態検出センサ４０ａで検出される色温度が変化した場合、制御部１１０は、ユーザーのアンビエント照明装置１０の使用状況に応じて、タスク照明装置２０の制御を行う。
【００８９】
同様に、ユーザーがＰＣ７０からタスク照明装置２０の照明状態を変更する場合、ユーザーが変更した照明状態は、例えば、赤外線通信によりＰＣ７０から制御部１１０に送信される。制御部１１０は、タスク照明装置２０の色温度を変更するように、赤外線通信によりタスク照明装置２０の制御を行う。ここで、タスク照明装置２０の色温度の変更により、照明状態検出センサ４０ｂ（図示せず）で検出される色温度が変化した場合、制御部１１０は、ユーザーのタスク照明装置２０の使用状況に応じて、アンビエント照明装置１０の制御を行う。ＰＣ７０の使用状況を付加することにより、ユーザーの作業エリアの色温度検出の精度を高めることができる。
【００９０】
このように、機器同士のみで通信を行うため、アンビエント照明装置１０及びタスク照明装置２０の制御を容易に行うことができる。したがって、周辺部と作業エリアとの色温度をほぼ同等の色温度とし、照明環境に違和感のない空間を容易に実現することが可能である。
【００９１】
図１１は、外部機器としてスマートフォンやタブレットなどの携帯端末を用いて、制御部に信号を送信する照明システム９を示している。
【００９２】
図１１に示す照明システム９では、ユーザーは、スマートフォン１３０によりアンビエント照明装置１０またはタスク照明装置２０の色温度を変更することができる。
【００９３】
例えば、ユーザーがアンビエント照明装置１０の色温度を変更した場合、ユーザーが変更した照明状態は、例えば、スマートフォン１３０から制御部１２０に送信される。制御部１２０は、アンビエント照明装置１０の色温度を変更するようにアンビエント照明装置１０の制御を行う。ここで、アンビエント照明装置１０の色温度の変更により、照明状態検出センサ４０ａで検出される色温度が変化した場合、制御部１２０は、ユーザーのアンビエント照明装置１０の使用状況に応じて、タスク照明装置２０の制御を行う。
【００９４】
なお、ユーザーがタスク照明装置２０の色温度を変更した場合も同様であるため、説明を省略する。
【００９５】
この構成によれば、専用のリモコンなどが不要のため、ユーザーにとってより簡易に照明環境の制御を行うことができる。
【００９６】
以上、本実施の形態に係る照明システムによると、照明システムがユーザーの使用するＰＣ等の外部機器により操作され、当該外部機器と照明システムとが通信手段により送受信を行って照明制御を行うため、容易に照明環境の制御を行うことができる。また、制御部においてＰＣのディスプレイから出力される外光を加味した制御を行うことによって、より正確に照明環境を制御することができる。また、機器同士のみでの通信、または、各照明システムとデータセンターとの通信により、照明環境に違和感のない空間を容易に実現することができる。
【００９７】
なお、上記した実施の形態は一例であり、本発明は上記した実施の形態に限定されるものではない。
【００９８】
例えば、上記した実施の形態では、アンビエント照明装置１０の色温度の調整は、アンビエント照明装置１０が自動で調整してもよいし、アンビエント照明装置１０に設けられた色温度調整ダイアルまたは色温度選択調整ボタン（図示せず）をユーザーが操作することにより、手動で調整することとしてもよい。
【００９９】
また、上記した照明システムにおいて、周辺部（アンビエント照明装置１０）の色温度の変化に合わせて作業エリア（タスク照明装置２０）の色温度を変化させてもよいし、作業エリア（タスク照明装置２０）の色温度の変化に合わせて周辺部（アンビエント照明装置１０）の色温度を変化させてもよい。
【０１００】
また、アンビエント照明装置１０又はタスク照明装置２０の色温度の調整は、あらかじめ設定されたプログラムにより制御されてもよい。
【０１０１】
また、照明状態検出センサ４０は、アンビエント照明装置１０又はタスク照明装置２０のそれぞれに設置されてもよいし、共通して設置されてもよい。
【０１０２】
以上、本発明の照明システムについて、実施の形態に基づいて説明したが、本発明はこの実施の形態に限定されるものではない。本発明の主旨を逸脱しない限り、当業者が思いつく各種変形を本実施の形態に施したものや、異なる実施の形態における構成要素を組み合わせて得られる形態も本発明の範囲内に含まれる。
【符号の説明】
【０１０３】
１、２、３、４、５、６、７、８、９  照明システム
１０  アンビエント照明装置
２０  タスク照明装置
３０、８０、９０、１１０、１２０  制御部
３２  通信手段
４０、４０ａ、４０ｂ、４０ｃ、４０ｄ、４０ｅ、４０ｆ  照明状態検出センサ
５０  作業机
６０  窓
７０  ＰＣ
１００  データセンター
１３０  スマートフォン
【図１Ａ】
2015022939.tif 000003
【図１Ｂ】
2015022939.tif 000004
【図１Ｃ】
2015022939.tif 000005
【図２】
2015022939.tif 000006
【図３】
2015022939.tif 000007
【図４】
2015022939.tif 000008
【図５】
2015022939.tif 000009
【図６】
2015022939.tif 000010
【図７】
2015022939.tif 000011
【図８】
2015022939.tif 000012
【図９】
2015022939.tif 000013
【図１０】
2015022939.tif 000014
【図１１】
2015022939.tif 000015